(57)【特許請求の範囲】
【請求項１】
支持レール（１０）と引出し底部（８）とを備えた構造物であって、前記支持レール（１０）は、前記引出し底部（８）にそれぞれ当接させるための、第１接触ウェブ（１２）と、該第１接触ウェブ（１２）から延び出た少なくとも１つの第２接触ウェブ（１４）とを含んでおり、前記第１接触ウェブ（１２）と前記第２接触ウェブ（１４）とは相互に対して略直角方向に延びており、前記支持レール（１０）の前記第１接触ウェブ（１２）と前記第２接触ウェブ（１４）は、前記引出し底部（８）に向かって折り曲げ可能な少なくとも１つのタブ（１２ａ，１４ａ）をそれぞれ有している、構造物において、
前記引出し底部（８）は、少なくとも１つの縁領域において略段状の接合部（９）を有しており、前記第１接触ウェブ（１２）の少なくとも１つのタブ（１２ａ）は、前記引出し底部（８）の裏面に配置され、前記第２接触ウェブ（１４）の少なくとも１つのタブ（１４ａ）は、前記引出し底部（８）の前記略段状の接合部（９）に配置されている、ことを特徴とする構造物。
【請求項２】
取り付け位置において、前記第２接触ウェブ（１４）の前記タブ（１４ａ）は、前記略段状の接合部（９）の略垂直に配置された部分（９ａ）に配置されている、ことを特徴とする請求項１に記載の構造物。
【請求項３】
前記支持レール（１０）は、断面が略Ｓ字状または略Ｚ字状の部分を有している、ことを特徴とする請求項１又は２に記載の構造物。
【請求項４】
始動位置において、前記第１接触ウェブ(１２)と前記第２接触ウェブ（１４）の前記タブ（１２ａ，１４ａ）はそれぞれ、対応する接触ウェブ（１２、１４）とほぼ面一に設けられている、ことを特徴とする請求項１から３のいずれか一項に記載の構造物。
【請求項５】
前記引出し底部（８）の段状接合部（９）は、当該引出し底部（８）の長手方向のほぼ全体にわたって延びている、ことを特徴とする請求項１から４のいずれか一項に記載の構造物。
【請求項６】
前記支持レール（１０）に接続された当接部（１６）が設けられており、前記引出し底部（８）の上面は、その取り付け位置にて前記当接部（１６）に当接する、ことを特徴とする請求項１から５のいずれか一項に記載の構造物。
【請求項７】
前記当接部（１６）は引出し側壁（１５）にて突出部の形態をなしている、ことを特徴とする請求項６に記載の構造物。
【請求項８】
前記支持レール（１０）は、引出し側壁（１５）に接続されているか、解放可能な関係で引出し側壁（１５）に接続可能である、ことを特徴とする請求項１から７のいずれか一項に記載の構造物。
【請求項９】
請求項１から８のいずれか一項に記載の構造物を含んだ引出し側壁（１５）。
【請求項１０】
請求項９に記載の引出し側壁（１５）を少なくとも１つ備えた引出し。
【請求項１１】
請求項１から８のいずれか一項に記載の構造物において、引出し底部を引出しレールに取り付ける方法であって、
第１の取り付けステップでは、前記第２接触ウェブ（１４）の前記タブ（１４ａ）を前記略段状の接合部（９）に押圧し、またはそれに押し込み、
続く取り付けステップでは、前記第１接触ウェブ（１２）のタブ（１２ａ）を前記引出し底部（８）の裏面に押圧し、またはそれに押し込む、ことを特徴とする方法。
【発明の詳細な説明】
【技術分野】
【０００１】
本発明は、支持レールおよび引出し底部を含んだ構造物に関する。この支持レールは、それぞれ引出し底部に当接する第１接触ウェブ（長板部）と、第１接触ウェブから横方向に突出する少なくとも１つの第２接触ウェブとを含んでおり、支持レールのこれら第１接触ウェブ及び第２接触ウェブはそれぞれ引出し底部に向かって折り曲げ可能な少なくとも１つのタブ（突起片）を有している。
【０００２】
本発明はさらに、以下で説明する構造物を含んだ引出し側壁、および、そのような側壁を含んだ引出し、並びに、以下で説明するような構造物を含んだ支持レールに引出し底部を取り付ける方法に関する。
【背景技術】
【０００３】
例えば、引出し底部を固定するための、金属押出し形状化部材または金属形状化部分で作製される中空区画形状部材の形態である引出し側壁は、引出し底部の側縁部領域を固定あるいは支持できる支持レールを有することができる。この目的により、支持レールは、支持レールに対して引出し底部を締め固定させる打ち抜き加工されたタブの形態の固定手段を有することができる。
【０００４】
ＤＥ８７１５１６６Ｕ１は、その図８、図１１および図１２において、引出し側壁に接続されている断面加工された長形部材の側方接触ウェブで段状接合部に取り付けられる側段部を有した引出し底部を開示する。
【０００５】
ＤＥ２９７０９３６２Ｕ１は、その両ウェブが互いに直交して延びる支持レールを開示しており、取り付け位置にて水平である方のウェブは引出し底部の材料内に押し込み可能なタブを有する。
【０００６】
ＤＥ２９７０９３６２Ｕ１は支持レールに関するものであり、取り付け位置にて水平である方のウェブは、引出し底部の裏面に押し込み可能な複数のタブを有している。
【０００７】
ＷＯ２０１０／０４６１７５Ａ２は、その図３１において固定手段を図示しており、支持レールは、一方が引出し底部の裏面内に挿入可能であり、他方が引出し底部内に側方に押し込み可能であるところの下方タブおよび側方タブを有している。この場合、板状の引出し底部は厚みが一定であり、引出し内に重量物が収納されていても引出し底部が破損しないように引出し底部は厚くなっている。この点に関する弱点は、この厚みのため、比較的に大型である引出し底部は、収納スペースの高さを小さくし、引出しの利用スペースを小さくしていることである。
【先行技術文献】
【特許文献】
【０００８】
【特許文献１】ＤＥ８７１５１６６Ｕ１
【特許文献２】ＤＥ２９７０９３６２Ｕ１
【特許文献３】ＷＯ２０１０／０４６１７５Ａ２
【発明の概要】
【発明が解決しようとする課題】
【０００９】
従って本発明の目的は、上記の弱点を回避しつつ、一般的に前述したような構造物を提供することである。
【課題を解決するための手段】
【００１０】
本発明によれば、この目的は請求項１の特徴によって達成される。本発明の更なる有利な実施形態は従属請求項において記載されている。
【００１１】
本発明によれば、引出し底部は、少なくとも１つの縁部領域に実質的に段状である接合部を有しており、第１接触ウェブ（長板部）のタブ（突起片）は引出し底部の裏面に配置され、第２接触ウェブ（長板部）のタブ（突起片）は引出し底部の段状接合部内に配置される。
【００１２】
第１の取り付けステップで、引出し底部の段状接合部に押し込められる折り曲げ可能なタブの構造により、他方のタブを引出し底部の裏面に押し込む続くステップにおいては、引出し側壁の対応接合部分に対して側縁領域に当接する引出し底部が、飛び出すのを防止することが可能になる。加えて、タブを段状接合部に予め押し込むということは、その後に他のタブが引出し底部の裏面に押し込まれ、あるいは押圧されたとしても、側方接合部によって引出し底部を破損するリスクを軽減することが可能になる、ことを意味する。
【００１３】
引出しの収納スペースの高さは、その側縁領域に段状接合部を有する引出し底部の提供によって増加させることができる。例として、引出し底部の側方接合部が８ｍｍであるとすれば、引出し底部の上面は、従来の方法と比較して８ｍｍだけ降下させることができ、よって引出しの収納スペースの高さは８ｍｍだけ増加することになる。
【００１４】
本発明の一実施形態では、取り付け位置において、第２接触ウェブのタブは、段形状接合部の略垂直に提供された部分に配置されている。従って、接合部と関係するこの第２タブは開始状態では接触ウェブの垂直部分に配置され、支持レールの垂直部分から側方に突起する位置に手により押し込まれて移動でき、引出し底部は第１の組み立てステップにおいては垂直方向に支持可能である。高さに関するその支持が提供された後には、続く組み立てステップにおいて、第１タブは引出し底部の裏面に押圧当接し、あるいは押し込まれる。この場合、予め接合部に押し込まれている第２タブは、引出し底部の裏面に押し込まれる第１タブによって発生される作用力を運搬する（支持する、引き受ける）。このようにして、取り付け位置において引出し底部の上面に当接する別体の締め付け面（クランプ面）を省略することが可能になる。
【００１５】
別実施形態では、第１接触ウェブと第２接触ウェブが互いに直交して延びるように提供できる。従って、支持レールは横断面が略Ｚ（字）形状である部分を有する。あるいは、支持レールは略Ｓ（字）形状部分を、特に接合部が凹状区画であるときに有することができる。
【００１６】
本発明による引出し側壁は、このような構成を特徴とする。本発明の引出しは、この種の少なくとも１つの引出し側壁を有する。
【００１７】
引出し底部を取り付ける本発明の方法に従えば、第１取り付けステップにおいて第２接触ウェブのタブは段状接合部に押圧当接され、または接合部内に押し込まれ、第１接触ウェブのタブの続く取り付けステップにおいては、第１接触タブは引出し底部の裏面に押圧当接され、または接合部内に押し込まれる。
【００１８】
本発明のさらなる詳細と利点は、本発明の例示として、図面で示される実施例を利用して解説される。
【図面の簡単な説明】
【００１９】
【図１】図１は、引出し延出ガイドにより、家具枠体（家具カーカス）に対して移動可能に取り付けられた引出しを備えた家具の斜視図である。
【図２】図２は、支持レールが取り付けられている引出し側壁、引出し底部、および引出し後壁の斜視図である。
【図３ａ】図３ａから図３ｄは、引出しが固定される支持レールの下方斜視図と、取り付けの順次ステップを示す詳細図である。
【図３ｂ】図３ａから図３ｄは、引出しが固定される支持レールの下方斜視図と、取り付けの順次ステップを示す詳細図である。
【図３ｃ】図３ａから図３ｄは、引出しが固定される支持レールの下方斜視図と、取り付けの順次ステップを示す詳細図である。
【図３ｄ】図３ａから図３ｄは、引出しが固定される支持レールの下方斜視図と、取り付けの順次ステップを示す詳細図である。
【図４】図４は、取り付けられた引出し底部を備えた支持レールの概略断面図である。
【発明を実施するための形態】
【００２０】
図１は家具１の斜視図であり、そこでは引出し３が、引出し延出ガイド４によって家具枠体（家具カーカス）２に対して移動可能に取り付けられている。図示の実施例においては、引出し延出ガイド４は、３構成部材レールシステムの形態をなしており、家具枠体２に固定される枠体レール５、枠体レール５に対して移動可能な中央レール６、および、引出し３に取り付けられる支持レール１０（ここでは図示せず）に接続される延出可能な引出しレール７を有している。しかし、引出し延出ガイド４が、１本の延出可能レールのみによる２構成部材レールシステムの形態であることも可能である。この場合には、引出し３に取り付けられる支持レール１０は、完全な引出しの延出を提供するための引出しレール（３）としても機能できる。引出し３はそれぞれ、以下の図面で示されるように支持レール１０に接続される引出し底部８を有する。
【００２１】
図２は、支持レール１０、引出し底部８および引出し後壁１１の斜視図である。引出し底部８は、少なくとも１つの縁領域において段状の接合部９を有する。即ちそれ（９）は、引出し底部８の縁部に向かって開いており、実質的に引出し底部８の全長を（長手方向の全体に）延びる陥没部（凹部）である。その取り付け状態では、接合部９は垂直部９ａと水平部９ｂとを提供する。引出し底部８のこのような形状によって、引出し底部８の表面（上面）はさらに下方に配置でき、引出しレール７（図１）の上縁にさらに近く（接近して）移動できる。よって引出し底部８の縁領域は、その局所虚弱部が使用する支持レール１０によって補強されるので、薄くなったことで蒙る引出し底部８の安定性を損なうことなく、更に薄くすることができる。支持レール１０は、引出し底部８の裏面に当接する第１水平接触ウェブ（長板部）１２と、接合部９の水平部９ｂに当接する上方水平脚部１３とを有しており、下方水平接触ウェブ１２と上方水平脚部１３とは、好適には略垂直または湾曲した第２接触ウェブ（長板部）１４によって一体連結されている。第１水平接触ウェブ１２は、支持レール１０の長手方向で間隔を開けて配置され、且つ引出し底部８の裏面に押圧当接または押し込むことが可能な複数のタブ（突起片）１２ａを有する。第２の略垂直に提供された接触ウェブ１４は、支持レール１０の長手方向に間隔を開けて配置され、且つ接合部９の垂直に提供されている水平部分９ａに押し込まれ又は押圧当接される複数のタブ１４ａ（突起片）を同様な形態で有している。第１接触ウェブ１２のタブ１２ａと第２接触ウェブ１４のタブ１４ａとはそれぞれ、２つの接触ウェブ１２と１４の開口部にほぼ面一な始動位置（スタート位置）にアレンジ（配置）されている。支持レール１０には引出し側壁１５が接続されており、引出し底部８の縁領域の上面を支持する当接部１６を提供する。引出し側壁１５の当接部１６は、図示の実施例では、引出しの中央に向かって突き出たノーズ部（突出部）の形態をなす。
【００２２】
図３ａは、引出し底部８を伴う支持レール１０の斜視図であり、図３ａから図３ｄは、連続的な取り付けステップの詳細図である。図３ａに示すように、支持レール１０の水平脚部１３は接合部９の水平部分９ｂ（図２）に当接する。第２の垂直に延びる接触ウェブ１４は接合部９の垂直部分９ａ（図２）に当接し、第１水平接触ウェブ１２は引出し底部８の裏面に当接する。図３ｂは図３ａにて丸で囲まれた領域の拡大図であり、第１接触ウェブ１２のタブ１２ａと、第２接触ウェブ１４のタブ１４ａは、始動位置（スタート位置）で接触ウェブ１２と１４の開口部において面一状態にそれぞれアレンジされている。図示の実施例では、例えば、特殊工具またはスクリュードライバーによって引出し底部８の方向にそれぞれ押圧できるタブ１２ａと１４ａのそれぞれの対が存在する。第１の取り付けステップ（図３ｃ）では、第２接触ウェブ１４の第２タブ１４ｂが接合部の垂直部分９ａ（図２）にまず押し込まれ、引出し底部８は垂直方向に支持レール１０に対して予め固定される。続く取り付けステップ（図３ｄ）では、第１接触ウェブ１２の第１タブ１２ａが引出し底部８の裏面に押し込まれるか、押圧当接される。
【００２３】
図４は、取り付けられた引出し底部８を伴う支持レール１０の断面図である。取り付け状態にて、支持レール１０は略水平脚部１３と第１水平接触ウェブ１２とを有する。水平脚部１３と第１接触ウェブ１２は、好適には略垂直に延びる第２接触ウェブ１４によって連結されている。第１取り付けステップにおいて、第２接触ウェブ１４のタブ１４ａは、接合部９の垂直に延びる部分９ａに押し込まれるか、押圧当接される。このように、引出し底部８は支持レール１０に対する高さに関して予め固定される。従って、そのことは、引出し側壁１５の細い当接部１６と関連して、下方タブ１２ａが押し込まれたときに引出し底部８の飛び出しを防止する。引出し底部８の上面に重なる当接部１６は、２ｍｍから６ｍｍ、好適には３ｍｍから５ｍｍの幅である。しかし、タブ１４ａが引出し底部８のために垂直支持を引き受けることもできるならば、当接部１６は基本的には完全に省略することもできる。従って、タブ１４ａは、下方タブ１２ａが押し込まれるときに発生する作用力を運搬する（支える）。もし、側方タブ１４ａが存在しなければ、当接部１６と下方タブ１２ａとの間の相対スペースも比較的に大きくなり、この場合には、特に接合部９を有する引出し底部８に関して、下方タブ１２ａがその場に押し込まれたなら、接合された引出し底部８が破損する潜在的な危険が存在するであろう。しかし本発明によれば、まず側方タブ１４ａが接合部９に押し込まれ、あるいは押圧当接するので、下方タブ１２ａが引出し底部８に当接されるか、押し込まれるのはその後であり、下方タブ１２ａを押し込めるときに発生する作用力は側方タブ１４ａによって運搬（支持、引き受け）が可能である。
【００２４】
本発明は図示の実施例には限定されず、「請求の範囲」に属するものの全ての変形および技術的均等物もカバーするものである。上方、側方、等の位置関係を示す用語は図示の実施例に対して適用されており、配置全体に変更が施されれば、適宜に変更されるべきものである。
【図１】
0005934232.tif 000002
【図２】
0005934232.tif 000003
【図３ａ】
0005934232.tif 000004
【図３ｂ】
0005934232.tif 000005
【図３ｃ】
0005934232.tif 000006
【図３ｄ】
0005934232.tif 000007
【図４】
0005934232.tif 000008